(57)【要約】【課題】Ｘ線検査室内の画像モニタには検査終了後も前の被検者の画像が表示されたままになっていることが多く、このことは個人情報の漏洩にあたる可能性があり、また入室してきた次の被検者に病状等についての無用の不安を与えるおそれもある。通常これを防ぐために術者等がＸ線検査室の内部または外部に配置されたＸ線制御器のパネル部等を操作して表示画像を消去することができるが、この方法では不注意等による消し忘れの可能性がある。【解決手段】被検者９に発信機１１である識別情報を記憶させた非接触ＲＦ−ＩＤを埋め込んだリストバンドを装着させ、無線周波数の電波により発信される識別情報をＸ線検査室の出入り口の両側に設けられた受信機１２または受信機１３により受信することにより、Ｘ線制御器４が被検者９の入退室を認識して画像モニタ８の表示画像を消去する。【選択図】          図１
2007117632.tif 000002
【特許請求の範囲】
【請求項１】
Ｘ線透視撮影装置と撮影された画像を表示する画像表示手段を配設したＸ線検査室に設置され、被検者の前記Ｘ線検査室への入室および／あるいは退室を検出して信号を出力する被検者入退室認識手段と、前記被検者入退室認識手段からの出力により前記画像表示装置の表示画像を消去する画像消去手段とから構成される画像消去システム。
【請求項２】
被検者入退室認識手段は、被検者に装着する発信機と、前記発信機から出力される信号を無線で受信可能な、Ｘ線検査室の出入り口に配置される受信機で構成されることを特徴とする請求項１記載の画像消去システム。
【請求項３】
請求項１記載の画像消去システムを有するＸ線透視撮影装置。
【発明の詳細な説明】
【技術分野】
【０００１】
本発明は医用Ｘ線透視撮影装置に関するものであり、特にＸ線検査室内に撮影画像の表示手段を有する装置に関する。
【背景技術】
【０００２】
Ｘ線による透視または撮影を行いながら検査や治療を行うとき、術者は通常透視画像または撮影画像を室内に配置された画像モニタにより観察しながら作業を進める。図２に透視台を用いたＸ線透視撮影装置の概略の構成例を示す。１はＸ線管装置２およびフラットパネル型検出器またはイメージインテファイアとテレビカメラの組合わせにより構成されるＸ線検出器３を対向して保持した透視台であり、術者（図示しない）が室内に配置された操作パネル１０または室外に設置された透視台制御器５のパネル部（図示しない）を操作することにより動作させる。Ｘ線照射の開始および終了の指示は、術者が操作パネル１０または室外に設置されたＸ線制御器４のパネル部（図示しない）を操作することにより行われ、これによりＸ線制御器４が事前に設定されたＸ線条件に従って高電圧発生器６を制御し、Ｘ線管装置２に高電圧が印加されてＸ線が発生する。透視台１の主要な構成部品である天板１Ａ上の被検者９を透過したＸ線はＸ線検出器３により電気信号に変換され、画像情報として画像処理装置７に記憶されるとともに、適当な画像処理が施された後画像モニタ８に表示される。撮影された画像は検査終了後も、術者が被検者９に行う説明に用いるため等により室内の画像モニタ８に表示されたままであることも多く、検査を終了した被検者９が退室し、次の被検者９が入室したときもそのまま表示されていることもある。
【０００３】
一方近年普及してきた院内ネットワークによる被検者の情報管理技術の分野では、被検者に非接触ＲＦ−ＩＤにより被検者情報が記録されたリストバンドを装着させて、院内の各部屋等に配置された所定のリーダによって情報を非接触で読み取り、被検者の誤認を防止する方法等が実用化されている。（例えば特許文献１参照）
【特許文献１】特開２００２−１３２９６２号公報
【発明の開示】
【発明が解決しようとする課題】
【０００４】
背景技術の項で述べたようにＸ線透視撮影装置による透視あるいは撮影画像は、各被検者９に対する検査終了後もＸ線検査室内の画像モニタ８に表示されたままで、検査を終了した被検者９が退室し、次の被検者９が入室したときもそのまま表示されていることもある。このことは最近話題になっている個人情報の漏洩にあたる可能性があり、また入室してきた次の被検者９に自分の病状等についての無用の不安を与えるおそれもある。このようなことを防止するために通常、Ｘ線検査室の内部に配置された操作パネル１０からの操作により、あるいはＸ線検査室の外部に配置されたＸ線制御器４のパネル部からの操作により、術者あるいは他の操作者（図示しない）がモニタ画像を消去することができるようになっているが、この方法では術者あるいは操作者の不注意等による消し忘れを防止できない。本発明はこの問題を解決することを目的とする。
【課題を解決するための手段】
【０００５】
請求項１記載の発明は上記の目的を達成するために、Ｘ線透視撮影装置と撮影された画像を表示する画像表示手段を配設したＸ線検査室に設置され、被検者の前記Ｘ線検査室への入室および／あるいは退室を検出して信号を出力する被検者入退室認識手段と、前記被検者入退室認識手段からの出力により前記画像表示装置の表示画像を消去する画像消去手段とから構成される画像消去システムを提供する。
【０００６】
請求項２記載の発明は上記の目的を達成するために、被検者入退室認識手段は、被検者に装着する発信機と、前記発信機から出力される信号を無線で受信可能な、Ｘ線検査室の出入り口に配置される受信機である請求項１記載の画像消去システムを提供する。
【０００７】
請求項３記載の発明は上記の目的を達成するために、請求項１記載の画像消去システムを有するＸ線透視撮影装置を提供する。
【発明の効果】
【０００８】
本発明により被検者のＸ線検査室への入室および／あるいは退室によってＸ線検査室内の画像モニタに表示された画像が自動的に消去されるので、前の被検者の画像が次の被検者の目にふれる事を確実に防止することができる。
【発明を実施するための最良の形態】
【０００９】
図１により本発明の実施例を説明する。なお図１において図２と同じ符号で示される部品あるいはユニットは図２と同じなので、それらの説明は省略する。
【００１０】
被検者９はＸ線検査を受ける前に、病院内の受付等他の場所で被検者９の識別情報を記憶させた発信機１１である非接触ＲＦ−ＩＤを埋め込んだリストバンドを装着する。発信機１１は記憶している被検者９の識別情報を電波により常時周囲に発信している。そしてＸ線検査室の出入り口の両側には、発信機１１が発信する電波を受信可能な受信機１２および受信機１３が取り付けられている。受信機１２および受信機１３はどちらも同じもので、それぞれ電波を受信するためのアンテナと受信部および復調部から構成され、受信した被検者９の識別情報を、例えばマイクロコンピュータ等により構成されるＸ線制御器４が受信可能な形式およびレベルの信号として出力する。
【００１１】
ここで発信機１１が発信する電波の強度および受信機１２および受信機１３の感度は、例えば発信機１１が受信機１２および受信機１３の中間位置が受信限界になるように調整されている。そしてＸ線制御器４は受信機１２または受信機１３の少なくとも一方から被検者９の識別情報を受け取った場合、被検者９が入室または退室したと認識して、画像処理装置７に信号を送り画像モニタ８の表示画像を消去する。これにより、検査を終了した被検者９が退室したとき、およびその後別の被検者９が入室したときに、自動的に画像モニタ８の表示画像が消去されるので、前の被検者９の撮影画像が次の被検者９の目にふれることが確実に防止される。
【００１２】
上記の実施例では保持装置として透視台１を用いたＸ線透視撮影装置について説明したが、本発明は循環器検査用のＸ線透視撮影装置についても同様に有効である。
【００１３】
上記の実施例では発信機１１を被検者９に装着させるためにリストバンドを用いたが、検査等に支障のない状態で被検者９に装着できる方法であればこれ以外の方法であってもよい。
【００１４】
上記の実施例では受信機１２および受信機１３をＸ線検査室の出入り口の両側に設けたが、発信機１１の電波の強度および受信機１２の感度の調整を適切に行えば、受信機１２一個だけを出入り口の片側や、出入り口の上方に設ける方法でもよい。
【００１５】
上記の実施例ではＸ線検査室の出入り口の両側に受信機１２および受信機１３を設けて被検者９の入室または退室のいずれの場合にも画像モニタ８の表示画像を消去するための信号を出力したが、出入り口の両側の受信機１２および受信機１３に加えて、もう一組の同じ受信機を例えば出入り口から１ｍ程度中に入った所に設置して、これら二組の受信機からの信号の時間的な前後関係によって、Ｘ線制御器４が入室と退室を区別して認識し、入室または退室のいずれか一方により画像モニタ８の表示画像を消去してもよい。
【００１６】
上記の実施例では入室または退室の認識を発信機１１および受信機１２、受信機１３によって行ったが、これらの代わりにバーコードで記載された被検者９の識別情報をリストバンド等によって被検者９に装着させ、Ｘ線検査室の出入り口に設置されたバーコードリーダにより読み取らせる方法を用いてもよい。
【産業上の利用可能性】
【００１７】
本発明は医用Ｘ線透視撮影装置に関するものであり、特にＸ線検査室内に撮影画像の表示手段を有する装置に関する。
【図面の簡単な説明】
【００１８】
【図１】本発明の実施例を説明するための図である。
【図２】従来の透視撮影装置の構成を示す図である。
【符号の説明】
【００１９】
１：透視台
１Ａ：天板
２：Ｘ線管装置
３：Ｘ線検出器
４：Ｘ線制御器
５：透視台制御器
６：高電圧発生器
７：画像処理装置
８：画像モニタ
９：被検者
１０：操作パネル
１１：発信機
１２：受信機
１３：受信機
【図１】
2007117632.tif 000003
【図２】
2007117632.tif 000004